(57)【特許請求の範囲】
【請求項１】
商品の移動経路を囲うスロットと、
前記スロットの上部入口より下にあって上方から下方へ移動する商品をスキャンするスキャナと、
さらに下方へ移動する前記商品を受けるバッグを支持する支持部と、
前記スキャナが読取った前記商品について決済処理を行う処理部と、
を備えるチェックアウト端末。
【請求項２】
前記商品の移動経路を操作者から区切るゲートを備える請求項１記載のチェックアウト端末。
【請求項３】
前記スキャナは、前記支持部が支持する前記バッグの開口部よりも、前記商品の移動経路から遠い、請求項１記載のチェックアウト端末。
【発明の詳細な説明】
【技術分野】
【０００１】
本発明の実施形態は、チェックアウト端末に関する。
【背景技術】
【０００２】
商品を購入するために要する時間を短縮するとともに店舗スペースを有効に利用できるセルフチェックアウト端末が数々提案されている。例えば特許文献１には、客に商品を持ち上げさせてスキャナ上を通過させる売上登録動作と、売上登録動作の後に客に商品を袋に収納させる袋詰動作と、を意図した構造が開示されている。
【先行技術文献】
【特許文献】
【０００３】
【特許文献１】特開平６−２０１５６号公報
【発明の概要】
【発明が解決しようとする課題】
【０００４】
従来技術においては、売上登録動作と袋詰動作とは分けて考えられており、商品を購入するために要する時間を短縮するという観点からすると無駄があった。商品を購入するために要する時間の更なる短縮を図ることを可能とする技術を生み出すことがひとつの課題である。
【課題を解決するための手段】
【０００５】
一実施形態において、チェックアウト端末は、商品の移動経路を囲うスロットと、スロットの上部入口より下にあって上方から下方へ移動する商品をスキャンするスキャナと、さらに下方へ移動する商品を受けるバッグを支持する支持部と、スキャナが読取った商品について決済処理を行う処理部と、を備える。
【図面の簡単な説明】
【０００６】
【図１】第１の実施形態のチェックアウト端末の外観図。
【図２】第１の実施形態のチェックアウト端末のゲートバーを開いた状態の外観図。
【図３】第１の実施形態のチェックアウト端末のゲートバーを開いてバッグを本体に装着した状態の外観図。
【図４】ゲートバーを開いてバッグを本体に装着した状態の、第１の実施形態のチェックアウト端末の右方から見た断面の模式図。
【図５】第１の実施形態のバッグを本体に装着しゲートバーを閉じた直後の状態の、実施形態のチェックアウト端末の右方から見た断面の模式図。
【図６】図５に示した状態のあとの、第１の実施形態のチェックアウト端末の右方から見た断面の模式図。
【図７】上部が開いたかたちで保持されたバッグへ商品を上方から挿入する際の、第１の実施形態のチェックアウト端末の右方から見た断面の模式図。
【図８】第１の実施形態のチェックアウト端末の機能ブロック図。
【図９】第１の実施形態のチェックアウト端末のＣＰＵの処理を表すフローチャート。
【図１０】第２の実施形態のチェックアウト端末のゲートバーを開いた状態の外観図。
【図１１】第２の実施形態のチェックアウト端末で用いるバッグロールの模式図。
【図１２】第２の実施形態のチェックアウト端末のゲートバーを開いた状態でバッグロールからバッグが出て垂れている状態の外観図。
【図１３】バッグを本体に装着しゲートバーを閉じた状態でバッグロールからバッグが出て垂れている状態の第２の実施形態のチェックアウト端末の断面模式図。
【図１４】第３の実施形態のチェックアウト端末のゲートを開いた状態の外観図。
【図１５】バッグ群をハンガーに装着しゲートを閉じた状態の第３の実施形態のチェックアウト端末の断面模式図。
【図１６】バッグ群をハンガーに装着しゲートを閉じた状態でリーダスロットを通して商品を挿入する際の第３の実施形態のチェックアウト端末の断面模式図。
【図１７】第３の実施形態のチェックアウト端末の機能ブロック図。
【図１８】第３の実施形態のチェックアウト端末のＣＰＵの処理を表すフローチャート。
【図１９】第４の実施形態のチェックアウト端末の外観図。
【図２０】第４の実施形態のチェックアウト端末の左ゲートバーと右ゲートバーとを開いた状態の外観図。
【図２１】第４の実施形態のチェックアウト端末の左ゲートバーと右ゲートバーとを開いた状態でハンガーにバッグを吊るした状態の外観図。
【発明を実施するための形態】
【０００７】
以下、商品読取装置の実施形態について、図面を用いて説明する。
【０００８】
（第１の実施形態）
図１は、一実施形態に係るチェックアウト端末の外観図である。
【０００９】
チェックアウト端末１００は、本体１０１、支柱１０２、ベース脚１０３を備える。
【００１０】
一点鎖線で示したXYZ座標のZ軸方向において、本体１０１の左下側が本体１０１の前側、本体１０１の右上側が本体１０１の後ろ側であるものとする。Y軸の矢印が示す向きを上であるものとする。X軸に平行な方向を左右方向であるものとする。
【００１１】
ベース脚１０３は支柱１０２の下部を支持する。ベース脚１０３は地面に対して支柱１０２を半固定的に支持することが可能なように相当の重みと面積とをもつとよい。支柱１０２は本体１０１を支持する。支柱１０２は本体１０１の天面を固定的に水平に支持するとよい。本体１０１の天面は地面から９０ｃｍ程度の位置にするとよい。
【００１２】
本体１０１はディスプレイ１１０、非接触式カード読取部１１２、リーダスロット１１４、ゲートバー１１６、を備える。本体１０１は天面にディスプレイ１１０と非接触式カード読取部１１２とを備える。ディスプレイ１１０は客に見せるための商品の金額を表示する。非接触式カード読取部１１２は客が会計を行うために近づける非接触カードの情報を読取る。本体１０１の天面に開いているリーダスロット１１４を通して客が商品３を１点ずつ、バッグ２へ挿入する。商品３は例えば、音楽ディスクや映像ディスクや書籍等である。商品３はバーコード３１を外面に有する。客は本体１０１の前側に立って商品３をバッグ２へ挿入する。なお、客を操作者とするセルフチェックアウト端末のように説明するが、例えば店舗の従業員など、どのような者が操作者になってもよい。
【００１３】
図２は、チェックアウト端末１００のゲートバー１１６を開いた状態の外観図である。
【００１４】
本体１０１はゲートバー１１６を蝶番１２４で回動自在に支持する。本体１０１はゲートバー１１６を蝶番１２４で水平面内にスイングするよう支持するとよい。
【００１５】
ゲートバー１１６はリング１２６を有する。本体１０１はロックピット１２８を有する。ゲートバー１１６の蝶番１２４から遠い端が本体１０１に近づく方向へスイングしてリング１２６がロックピット１２８に入ると、ロックピット１２８のなかのフックが、リング１２６を係止して本体１０１に対してゲートバー１１６を、スイングしないよう固定する。本体１０１に対してゲートバー１１６がスイングしないよう固定した状態が、ゲートバー１１６を閉じた状態である。
【００１６】
ゲートバー１１６を閉じた状態においてはゲートバー１１６の後ろ側面がリーダスロット１１４の前側面となる。
【００１７】
図３は、チェックアウト端末１００のゲートバー１１６を開いてバッグ２を本体１０１に装着した状態の外観図である。
【００１８】
ゲートバー１１６はゲート側スキャナ１３４とゲート側粘着パッド１３０を有する。また、本体１０１は本体側スキャナ１３６と本体側粘着パッド１３２を有する。
【００１９】
ゲート側粘着パッド１３０は後ろ側面がバッグ２に対して粘着性を有する。本体側粘着パッド１３２は前側面がバッグ２に対して粘着性を有する。ゲート側粘着パッド１３０と本体側粘着パッド１３２とがバッグ２に対して粘着して、バッグ２を支持する。
【００２０】
ゲートバー１１６を閉じた状態においては、ゲートバー１１６の後ろ側面にあるゲート側スキャナ１３４とリーダスロット１１４の後ろ側面にある本体側スキャナ１３６とが対向する。互いの光の影響で読み取りに支障を来してしまうのを避けるためにゲート側スキャナ１３４と本体側スキャナ１３６とを対向させず上下にずらした位置にしてもよい。
【００２１】
なおゲート側スキャナ１３４や本体側スキャナ１３６は、商品３に表示されたバーコード３１を光学的に読み取る構成に限らず、例えば商品に取り付けられた非接触式電子タグと通信する構成であってもよい。商品に取り付けられた非接触式電子タグと通信する構成にする場合は、リーダスロット１１４の外にある非接触式電子タグを読み取らぬよう、ゲート側スキャナ１３４や本体側スキャナ１３６の通信範囲を制限するとよい。商品に取り付けられた非接触式電子タグと通信する構成であれば例えばゲート側スキャナ１３４を省き本体側スキャナ１３６のみを備える構成としても、商品３の表裏どちらに非接触式電子タグが取り付けられてあっても読み取ることができる構成にできる可能性がある。
【００２２】
ゲート側スキャナ１３４と本体側スキャナ１３６との下方でゲート側粘着パッド１３０と本体側粘着パッド１３２とが対向する。本体側粘着パッド１３２がバッグ２の後ろ側上部へ貼りつく。本体側粘着パッド１３２は本体１０１に対してZ軸方向に進退する。本体側粘着パッド１３２の本体１０１に対して進退させる駆動源は例えばリニアモータである。
【００２３】
図４は、ゲートバー１１６を開いてバッグ２を本体１０１に装着した状態のチェックアウト端末１００のYZ断面を右方から見た模式図である。本体側粘着パッド１３２はゲートバー１１６が開いている状態では前側へ進出した位置にある。
【００２４】
図５は、バッグ２を本体１０１に装着しゲートバー１１６を閉じた直後の状態のチェックアウト端末１００のYZ断面を右方から見た模式図である。バッグ２の後ろ側上部が本体側粘着パッド１３２へ貼りついた状態でゲートバー１１６を閉じると、閉じた直後には本体側粘着パッド１３２がゲート側粘着パッド１３０へバッグ２を圧接した状態になる。
【００２５】
図６は、バッグ２を本体１０１に装着しゲートバー１１６を閉じたのちに図５に示した状態のあとのチェックアウト端末１００のYZ断面を右方から見た模式図である。本体側粘着パッド１３２はゲートバー１１６が閉じられたのちに後ろ側のほうへ後退する。バッグ２の前側上部に貼りついたゲート側粘着パッド１３０と、バッグ２の後ろ側上部に貼りついた本体側粘着パッド１３２とが、バッグ２の上部を開いたかたちで保持する状態となる。
【００２６】
図７は、上部が開いたかたちで保持されたバッグ２へ商品３を上方から挿入する際のチェックアウト端末１００のYZ断面を右方から見た模式図である。
【００２７】
バッグ２へ挿入される商品３は、互いに対向しているゲート側スキャナ１３４と本体側スキャナ１３６との間を通過する。通過する商品３のバーコード３１をゲート側スキャナ１３４あるいは本体側スキャナ１３６が読み取る。
【００２８】
上方から挿入される商品３がバッグ２の前側上部やゲート側粘着パッド１３０に干渉しにくくするため、バッグ２の前側上部やゲート側粘着パッド１３０が、リーダスロット１１４の前側面やゲート側スキャナ１３４の後ろ側面よりも前側に位置する。
【００２９】
上方から挿入される商品３がバッグ２の後ろ側上部や本体側粘着パッド１３２に干渉しにくくするため、バッグ２の後ろ側上部や本体側粘着パッド１３２が、リーダスロット１１４の後ろ側面や本体側スキャナ１３６の前側面よりも後ろ側に位置する。
【００３０】
このような位置関係なので、バッグ２の上部の前後方向の開口長よりも、リーダスロット１１４の前後方向の長さやゲート側スキャナ１３４と本体側スキャナ１３６との前後方向の間隔は、狭い。このように、商品３の移動経路に対してバッグ２の上部の前後方向の開口長がゲート側スキャナ１３４と本体側スキャナ１３６とよりも遠くなる径の設計で、上方から挿入される商品３がバッグ２の上部に干渉しにくくなる。
【００３１】
また、バッグ２の上部が開いたかたちとなって短くなるバッグ２の上部の左右方向の長さよりも、商品３の移動経路を囲うリーダスロット１１４の左右方向の長さが狭くなるよう設計するとよい。このような径の設計で、上方から挿入される商品３がバッグ２の上部に干渉しにくくなる。
【００３２】
上方から見て、上部が開いたかたちのバッグ２の上部の左右方向中央に、リーダスロット１１４の左右方向中央がおさまる位置関係だと商品３の挿入がスムースである。また、上方から見て、上部が開いたかたちのバッグ２の上部の前後方向中央に、リーダスロット１１４の前後方向中央がおさまる位置関係だと商品３の挿入がスムースである。鉛直上方から見て、上部が開いたかたちのバッグ２の上部長手方向の開口区間に、リーダスロット１１４の水平面上長手方向の開口区間がおさまる位置関係だと商品３の挿入がスムースである。鉛直上方から見て、上部が開いたかたちのバッグ２の上部短手方向の開口区間に、リーダスロット１１４の水平面上短手方向の開口区間がおさまる位置関係だと商品３の挿入がスムースである。
【００３３】
バーコードの表示位置は商品の種類によっては定められている場合がある。例えば書籍バーコードであれば書籍商品の上端から１０ｍｍ程度の位置、雑誌バーコードであれば雑誌商品のほぼ下端の位置で高さ１２ｍｍを確保するよう定められている。また、商品の種類によっては商品自体の上下の長さが定まっている場合がある。例えばＡ４サイズの書籍や雑誌であれば上下の長さは２９７ｍｍ、デジタルビデオディスクのケースであれば上下の長さは約１８２ｍｍ、コンパクトディスクのケースであれば上下の長さは約１１８ｍｍと定まっている。ゲート側スキャナ１３４や本体側スキャナ１３６のうち下方にあるほうからバッグ２の上部までの距離を、商品３の定められた長さの半分程度とすれば、商品３がバッグ２に入る位置まで客が挿入した商品３の上下の向きを変えれば、必ず商品３のバーコードを読み取れる位置にゲート側スキャナ１３４や本体側スキャナ１３６があることになる。
【００３４】
リーダスロット１１４に上から挿入される商品３がゲート側スキャナ１３４あるいは本体側スキャナ１３６の高さを通過してさらに下方へ進んでバッグ２が受ける。客は、リーダスロット１１４へ商品３を上から挿入する動作を行うだけで、ゲート側スキャナ１３４あるいは本体側スキャナ１３６にバーコード３１を読取らせることと、バッグ２に商品３を入れることとを行うことができ、短い時間で商品を購入することが可能になる。
【００３５】
リーダスロット１１４に上から挿入される商品３の一部分がバッグ２の上部の位置に達してもゲート側スキャナ１３４あるいは本体側スキャナ１３６の高さにその商品の別の部分があるよう、ゲート側スキャナ１３４あるいは本体側スキャナ１３６とバッグ２の上部の位置を設定するとよい。客は、ゲート側スキャナ１３４あるいは本体側スキャナ１３６がバーコード３１を読取りやすいよう商品３を支持しながら下げていく動作の延長として、バッグ２に商品３を安定した姿勢で支持しながら下げていく動作を行うことができる。客は、商品３をリーダスロット１１４に挿入する動作を行うことによって、商品３のバーコード３１をゲート側スキャナ１３４あるいは本体側スキャナ１３６に読み取らせる動作と、商品３をバッグ２に挿入する動作とを一度に行うことができる。
【００３６】
図８は、チェックアウト端末１００の機能ブロック図である。
【００３７】
チェックアウト端末１００は、ＣＰＵ１８１を搭載する。ＣＰＵ１８１は、バスライン１８２を介して、ＲＯＭ１８３、ＲＡＭ１８４、通信インターフェース１８６、ディスプレイ１１０、非接触式カード読取部１１２、ゲート側スキャナ１３４、本体側スキャナ１３６、モータドライバ１３８と通信する。ＲＯＭ１８３は、ＣＰＵ１８１によって実行されるプログラムを記憶する。ＲＡＭ１８４は、商品の名称や単価を記憶する。ＣＰＵ１８１は、商品３がリーダスロット１１４に挿入されたことをゲート側スキャナ１３４や本体側スキャナ１３６に検知させる。ＣＰＵ１８１は、ゲート側スキャナ１３４や本体側スキャナ１３６に読み取らせたバーコード３１に対応する商品の名称や単価をＲＡＭ１８４から探してディスプレイ１１０表示する。ＣＰＵ１８１は、ディスプレイ１１０に表示した商品の単価の合計や税額などを計算してディスプレイ１１０に表示する。ＣＰＵ１８１は、非接触式カード読取部１１２で非接触式カードと通信して、商品の単価の合計や税額などの決済処理を行う。ＣＰＵ１８１は、モータドライバ１３８を用いて、ロックピット１２８のなかのフックや本体側粘着パッド１３２の物理的動作を制御する。
【００３８】
通信インターフェース１８６は、ストアコンピュータＳＣ等と通信するための、ＬＡＮ（Local Area Network）等のネットワークアダプタである。ＣＰＵ１８１は、決済処理が済んだら売上情報をストアコンピュータＳＣへ配信する。
【００３９】
図９は、チェックアウト端末１００のＣＰＵ１８１の処理を表すフローチャートである。
【００４０】
ゲートバー１１６を閉じた状態で、商品がリーダスロット１１４に挿入されたことをゲート側スキャナ１３４や本体側スキャナ１３６によって検知すると、ＣＰＵ１８１は処理を開始する。ゲートバー１１６を閉じた状態にして、上方から下方への商品３の移動経路を客から区切ることによって、客に決済処理がまだ行われていないことを認識させやすいし、客が商品３が入ったバッグ２を取さぬようにしやすい。
【００４１】
ＣＰＵ１８１は、リーダスロット１１４に挿入され下方へ移動していく商品３のバーコード３１をゲート側スキャナ１３４や本体側スキャナ１３６で読み取る（１９１）。
【００４２】
ＣＰＵ１８１は、ゲート側スキャナ１３４や本体側スキャナ１３６に読み取らせたバーコード３１に対応する商品の名称や単価をＲＡＭ１８４から探して、商品の単価の合計や税額などを計算して、ディスプレイ１１０に表示する。（１９２）。
【００４３】
ＣＰＵ１８１は、非接触式カード読取部１１２で非接触式カードと通信可能になるのを待つ（１９３）。
【００４４】
ＣＰＵ１８１は、非接触式カード読取部１１２で非接触式カードと通信可能になったら（１９３のＹｅｓ）、非接触式カード読取部１１２で非接触式カードと通信して、商品の単価の合計や税額などの決済処理を行う（１９４）。
【００４５】
ＣＰＵ１８１は、モータドライバ１３８を用いて、ロックピット１２８のなかのフックにリング１２６をリリースさせ、ゲートバー１１６を本体１０１に対して開いた状態にすることを可能にする（１９５）。
【００４６】
ゲートバー１１６を本体１０１に対して開いた状態にすることによって、客に決済処理を行ったことを認識させやすいし、客は商品３が入ったバッグ２を取り出しやすい。
【００４７】
（第２の実施形態）
図１０は、一実施形態に係るチェックアウト端末２００のゲートバー２１６を開いた状態の外観図である。第１の実施形態のチェックアウト端末１００と同様な構成については同じ符号を付し詳細な説明は省略する。
【００４８】
チェックアウト端末２００は、バッグサポート１４０とバッグロール２０を備える。バッグロール２０は図１１に示すように、バッグを連続的に巻いたものである。バッグの後側フィルムが、連続的に形成されており一のバッグ２１の上辺と次のバッグ２２の下辺との境となる部分毎にミシン目を有する。バッグの前側フィルムは一のバッグ２１の上辺と次のバッグ２２の下辺との境となる部分で分かれている。
【００４９】
図１２は、チェックアウト端末２００のゲートバー２１６を開いた状態でバッグロール２０からバッグ２１が出て垂れている状態の外観図である。バッグサポート１４０は、バッグサポート１４０の後ろ側に位置するバッグロール２０からバッグサポート１４０の前側へ連続的に出てくるバッグの後ろ側フィルムを、その上面が摺接的に支持する。
【００５０】
Z方向においてバッグサポート１４０の前側中央はその左右両側よりもリーダスロット１１４の前側面から遠い。また、Z方向においてバッグサポート１４０の前側中央はその左右両側よりもバッグロール２０に近い。バッグサポート１４０の上面に支持されてその後ろ側のバッグロール２０から前側へ出るバッグ２１の上部は、バッグサポート１４０より下の位置で開いたかたちとなる。ゲートバー２１６はゲート側粘着パッド１３０を有さなくてよい。
【００５１】
図１３はバッグ２１を本体１０１に装着しゲートバー２１６を閉じた状態でバッグロール２０からバッグ２１が出て垂れている状態のチェックアウト端末２００のYZ断面を右方から見た模式図である。上方から挿入される商品３がバッグ２１の前側上部に干渉しにくくするため、バッグ２１の前側上部が、リーダスロット１１４の前側面やゲート側スキャナ１３４の後ろ側面よりも、前側に位置する。上方から挿入される商品３がバッグ２１の後ろ側上部に干渉しにくくするため、バッグ２１の後ろ側上部が、リーダスロット１１４の後ろ側面や本体側スキャナ１３６の前側面よりも後ろ側に位置してもよい。このような位置関係なので、バッグ２１の上部の前後方向の開口長よりもリーダスロット１１４の前後方向の長さは狭い。
【００５２】
バッグ２１の後ろ側上部が、リーダスロット１１４の後ろ側面や本体側スキャナ１３６の前側面よりも後ろ側に位置させることによって、バッグ２１の後ろ側上部がバッグロール２０から連続している次のバッグに繋がっている部分のミシン目が、上方から挿入される商品３と干渉してしまうのを避けることもできる。
【００５３】
もし、バッグ２１の後ろ側上部は、バッグロール２０から連続している次のバッグに繋がっていて、上方から挿入される商品３が引っかかりにくければ、バッグ２１の後ろ側上部が、リーダスロット１１４の後ろ側面や本体側スキャナ１３６の前側面よりも前側に位置してもよい。
【００５４】
バッグ２１の上部が開いたかたちとなって短くなるバッグ２１の上部の左右方向の長さよりも、リーダスロット１１４の左右方向の長さが狭くなるよう設計するとよい。このような径の設計で、上方から挿入される商品３がバッグ２１の上部に干渉しにくくなる。
【００５５】
（第３の実施形態）
図１４は、一実施形態に係るチェックアウト端末３００のゲート３１６を開いた状態の外観図である。第１の実施形態のチェックアウト端末１００と同様な構成については同じ符号を付し詳細な説明は省略する。
【００５６】
チェックアウト端末３００は、へら３４０とハンガー３４２とを備える。
【００５７】
バッグ３０２の後ろ側フィルムはその上部にハンガーホール３０３を有する。バッグ３０２はハンガーホール３０３にハンガー３４２を通すことで本体１０１に対して吊るされる。ハンガー３４２は同時に複数のバッグのハンガーホールを貫くかたちで前後方向に重ねて支持することができる。一番前にあるバッグ３０２のハンガーホール３０３が自然に抜け落ちてしまうのを妨げるために、ハンガー３４２が後ろから前に向かって上反角を有してもよい。
【００５８】
ハンガー３４２が左右対称な位置に一対あるとよい。一対のハンガー３４２の左右方向の間隔は、バッグ３０２の幅よりも短い。ハンガー３４２が左右対称な位置に一対あれば、バッグ３０２は左右対称な位置にハンガーホール３０３を一対有するとよい。ハンガーホール３０３はハンガー３４２が通る程度の上下方向の長さがあり、上下方向よりも長い左右方向の長さを有するとよい。ハンガーホール３０３を横長にするとよいのは、バッグ３０２の上部が開いたかたちとなって短くなるのをハンガー３４２に邪魔させないためである。そのため、一対のハンガーホール３０３を一対のハンガー３４２が貫いている状態において、バッグ３０２の上部が閉じたかたちでは左右方向において、ハンガー３４２よりもバッグ３０２の外向きに長く内向きに短いとよい。
【００５９】
バッグ３０２の前側フィルムはその上部が後ろ側フィルムよりも短く低い位置にあり、後ろ側フィルムに対して開く。
【００６０】
ゲート３１６はへら３４０を回動可能に支持する。へら３４０の回転軸端とは反対側の端を先端とする。閉じた状態のゲート３１６に対してへら３４０は先端が上方へ行くように付勢される。リーダスロット１１４を通して客が上方から挿入する商品３が、付勢に反してへら３４０を下向きに回動させる。へら３４０はその先端側に弾性へら３４１を支持する。弾性へら３４１は、へら３４０の先端側よりもへら３４０の回転軸から遠くにその先端を有する。
【００６１】
へら３４０は、ゲート側スキャナ１３４や本体側スキャナ１３６に読み取らせたバーコード３１に対応する商品３の名称や単価をＲＡＭ１８４から探し出すまで回動しないようロックされ、商品３がバッグ３０２へ進むのを妨げる。商品３の名称や単価をＲＡＭ１８４から探し出すとへら３４０は回動可能となり、商品３がバッグ３０２へ進むことができるようになる。
【００６２】
バーコードの表示位置は商品の種類によっては定められている場合がある。例えば書籍バーコードであれば書籍商品の上端から１０ｍｍ程度の位置、雑誌バーコードであれば雑誌商品のほぼ下端の位置で高さ１２ｍｍを確保するよう定められている。また、商品の種類によっては商品自体の上下の長さが定まっている場合がある。例えばＡ４サイズの書籍や雑誌であれば上下の長さは２９７ｍｍ、デジタルビデオディスクのケースであれば上下の長さは約１８２ｍｍ、コンパクトディスクのケースであれば上下の長さは約１１８ｍｍと定まっている。ゲート側スキャナ１３４や本体側スキャナ１３６のうち下方にあるほうから商品３がへら３４０に当る位置までの距離を、商品３の定められた長さの半分程度とすれば、商品３がへら３４０に当る位置まで客が挿入した商品３の上下の向きを変えれば、必ず商品３のバーコードを読み取れる位置にゲート側スキャナ１３４や本体側スキャナ１３６があることになる。
【００６３】
図１５は、バッグ群をハンガー３４２に装着しゲート３１６を閉じた状態のチェックアウト端末３００のYZ断面を右方から見た模式図である。
【００６４】
弾性へら３４１の先端が、ハンガー３４２が前後方向に重ねて支持しているバッグ群のうち最前面のバッグ３０２の後ろ側フィルムに当接する。バッグ３０２の前側フィルムの上端は、弾性へら３４１がバッグ３０２の後ろ側フィルムに当接する位置よりも下方にある。
【００６５】
図１６は、バッグ群をハンガー３４２に装着しゲート３１６を閉じた状態で、リーダスロット１１４を通して商品３を挿入する際のチェックアウト端末３００のYZ断面を右方から見た模式図である。
【００６６】
リーダスロット１１４の上方から挿入されてゲート側スキャナ１３４と本体側スキャナ１３６とが位置する高さを通過した商品３が、へら３４０を押し下げる。商品３に押し下げられるへら３４０が支持する弾性へら３４１の先端が、最前面のバッグ３０２の後ろ側フィルムをなでながら下方へ移動して前側フィルムの上端をひっかける。へら３４０がさらに商品３に押し下げられると弾性へら３４１と回動するへら３４０とによって前側フィルムが前のほうへ引かれて、最前面のバッグ３０２が開いたかたちとなる。商品３を下方へ進めることによって開いたかたちとなったバッグ３０２へ商品３が入っていく。
【００６７】
図１７はチェックアウト端末３００の機能ブロック図である。
【００６８】
チェックアウト端末３００は、ロックドライバ３３８を搭載する。ＣＰＵ１８１は、バスライン１８２を介して、ロックドライバ３３８と通信する。
【００６９】
ＣＰＵ１８１は、商品３の名称や単価をＲＡＭ１８４から探し出すと、ロックドライバ３３８を用いて、へら３４０の回動可否を制御する。
【００７０】
図１８は、チェックアウト端末３００のＣＰＵ１８１の処理を表すフローチャートである。
【００７１】
ＣＰＵ１８１はゲート３１６を閉じた状態かつロックドライバ３３８にへら３４０が回動しないようロックした状態で処理を開始する。
【００７２】
ＣＰＵ１８１は、リーダスロット１１４に挿入され下方へ移動していく商品３のバーコード３１をゲート側スキャナ１３４や本体側スキャナ１３６で読み取る（３９１）。
【００７３】
ＣＰＵ１８１は、ゲート側スキャナ１３４や本体側スキャナ１３６に読み取らせたバーコード３１に対応する商品の名称や単価をＲＡＭ１８４から探す（３９２）。
【００７４】
ゲート側スキャナ１３４や本体側スキャナ１３６に読み取らせたバーコード３１に対応する商品の名称や単価が見つかると（３９２のＹｅｓ）、ＣＰＵ１８１はロックドライバ３３８にへら３４０のロックを解除させてへら３４０を回動可能にする（３９３）。リーダスロット１１４へ挿入した商品３が何なのかの照合を行ってからへら３４０のロックを解除して商品３がバッグ３０２へ進むことを可能にする。
【００７５】
ゲート側スキャナ１３４や本体側スキャナ１３６に読み取らせたバーコード３１に対応する商品の名称や単価が見つからなければ（３９２のＮｏ）、再度３９１を行う。再度３９１を行うために客は商品３を一旦リーダスロット１１４の外へ引上げてから再度リーダスロット１１４へ挿入する。
【００７６】
ＣＰＵ１８１は、ＲＡＭ１８４から探し出した商品の単価の合計や税額などを計算して、ディスプレイ１１０に表示する。（３９４）。
【００７７】
ＣＰＵ１８１は、非接触式カード読取部１１２で非接触式カードと通信可能になるのを待つ（３９５）。
【００７８】
ＣＰＵ１８１は、非接触式カード読取部１１２で非接触式カードと通信可能になったら（３９５のＹｅｓ）、非接触式カード読取部１１２で非接触式カードと通信して、商品の単価の合計や税額などの決済処理を行う（３９６）。
【００７９】
ＣＰＵ１８１は、モータドライバ１３８を用いて、ロックピット１２８のなかのフックにリング１２６をリリースさせ、ゲート３１６を本体１０１に対して開いた状態にすることを可能にする（３９７）。
【００８０】
この実施形態では、へら３４０は、ゲート側スキャナ１３４や本体側スキャナ１３６に読み取らせたバーコード３１に対応する商品３の名称や単価をＲＡＭ１８４から探し出すまで回動しないようロックされるようロックドライバ３３８を制御するよう説明したが、ロックドライバ３３８やへら３４０のロック制御がない形態での実施もあり得ることはいうまでもない。
【００８１】
（第４の実施形態）
図１９は、一実施形態に係るチェックアウト端末４００の外観図である。第１の実施形態のチェックアウト端末１００と同様な構成については同じ符号を付し詳細な説明は省略する。
【００８２】
チェックアウト端末４００は、左ゲートバー４１６と、右ゲートバー４１７と、ハンガー４４２とを備える。
【００８３】
第１の実施形態におけるリーダスロット１１４は本体１０１の前側中央部分を後ろ側へ後退させたかたちで形成していたが、第４の実施形態におけるリーダスロット１１４は左ゲートバー４１６と右ゲートバー４１７とを薄肉化してその後ろ側に空間を設けることによって形成されている。左ゲートバー４１６と右ゲートバー４１７とを湾曲したかたちに形成し、リーダスロット１１４をより前方に形成することによって、客は商品３をより手前で挿入することができて、商品３の挿入が容易になる。薄肉化によってゲート側にスキャナを持つことができなくなるが、客にバーコードを後ろ側に向けて商品をリーダスロット１１４へ挿入してもらえばよい。薄肉化を控えめにして、左ゲートバー４１６と右ゲートバー４１７とのそれぞれにゲート側のスキャナを持たせる構成としてもよい。
【００８４】
図２０は、チェックアウト端末４００の左ゲートバー４１６と右ゲートバー４１７とを開いた状態の外観図である。
【００８５】
チェックアウト端末４００は、第１の実施形態におけるゲートバー１１６にかえて左ゲートバー４１６と、右ゲートバー４１７と、を備える。チェックアウト端末４００を前から見て中央の位置で左ゲートバー４１６と、右ゲートバー４１７と、が分かれている。本体１０１は蝶番４２４で左ゲートバー４１６を回動自在に支持する。本体１０１は左ゲートバー４１６を蝶番４２４で水平面内にスイングするよう支持するとよい。蝶番４２４はモータドライバ１３８によってその回動可否を制御される。左ゲートバー４１６の蝶番４２４から遠い端を本体１０１に対して近づけて左ゲートバー４１６がスイングしないよう固定した状態が、左ゲートバー４１６を閉じた状態である。本体１０１は右ゲートバーも同様に回動自在に支持する。
【００８６】
図２１は、チェックアウト端末４００の左ゲートバー４１６と右ゲートバー４１７とを開いた状態でハンガー４４２にバッグ４０２を吊るした状態の外観図である。
【００８７】
バッグ４０２はその上部にハンガーホール４０３を有する。バッグ４０２はハンガーホール４０３にハンガー４４２を通すことで本体１０１に対して吊るされる。ハンガー４４２は、バッグ４０２の上部が開いたかたちでバッグ４０２を支持するために、バッグ４０２の前側フィルムのハンガーホール４０３が係合する位置とバッグ４０２の後ろ側フィルムのハンガーホール４０３が係合する位置とにそれぞれ係合溝を有する。
【００８８】
各実施形態は、装置内部のプログラム記憶部であるＲＯＭに発明の機能を実現させるプログラムが予め記録されているものとしたが、これに限らず、同様のプログラムがネットワークから装置にダウンロードされてもよい。あるいは、記録媒体に記録された同様のプログラムが、装置にインストールされてもよい。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００８９】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９０】
１００，２００，３００，４００・・・チェックアウト端末、１０１・・・本体、１０２・・・支柱、１０３・・・ベース脚、１１０・・・ディスプレイ、１１２・・・非接触式カード読取部、１１４・・・リーダスロット、１１６，２１６・・・ゲートバー、１２４，４２４・・・蝶番、１２６・・・リング、１２８・・・ロックピット、１３０・・・ゲート側粘着パッド、１３２・・・本体側粘着パッド、１３４・・・ゲート側スキャナ、１３６・・・本体側スキャナ、１３８・・・モータドライバ、１４０・・・バッグサポート、１８１・・・ＣＰＵ、１８２・・・バスライン、１８３・・・ＲＯＭ、１８４・・・ＲＡＭ、１８６・・・通信インターフェース、３０３，４０３・・・ハンガーホール、３１６・・・ゲート、３３８・・・ロックドライバ、３４０・・・へら、３４１・・・弾性へら、３４２，４４２・・・ハンガー、４１６・・・左ゲートバー、４１７・・・右ゲートバー、２，２１，２２，３０２，４０２・・・バッグ、２０・・・バッグロール、３・・・商品、３１・・・バーコード、ＳＣ・・・ストアコンピュータ。
【図１】
0006672021.tif 000002
【図２】
0006672021.tif 000003
【図３】
0006672021.tif 000004
【図４】
0006672021.tif 000005
【図５】
0006672021.tif 000006
【図６】
0006672021.tif 000007
【図７】
0006672021.tif 000008
【図８】
0006672021.tif 000009
【図９】
0006672021.tif 000010
【図１０】
0006672021.tif 000011
【図１１】
0006672021.tif 000012
【図１２】
0006672021.tif 000013
【図１３】
0006672021.tif 000014
【図１４】
0006672021.tif 000015
【図１５】
0006672021.tif 000016
【図１６】
0006672021.tif 000017
【図１７】
0006672021.tif 000018
【図１８】
0006672021.tif 000019
【図１９】
0006672021.tif 000020
【図２０】
0006672021.tif 000021
【図２１】
0006672021.tif 000022